(57)【特許請求の範囲】
【請求項１】
無線通信システムにおける無線機器によって行われる方法において、
複数の副搬送波間隔に対する各リソースブロックグリッドの基準点であるポイントＡについての情報をネットワークから受信することであって、
前記複数の副搬送波間隔は、第１副搬送波間隔と第２副搬送波間隔とを含み、
前記第１副搬送波間隔は、搬送波上で前記ネットワークにより支援される最も高い副搬送波間隔であり、
前記第２副搬送波間隔は、前記第１副搬送波間隔と異なる副搬送波間隔である、ことと、
前記ポイントＡと前記第１副搬送波間隔に対する前記搬送波の最も低い副搬送波との間のオフセットである第１オフセットについての情報と、前記第１副搬送波間隔に対する前記搬送波のリソースブロックの数についての情報とを前記ネットワークから受信することと、
前記ポイントＡと前記第２副搬送波間隔に対する前記搬送波の最も低い副搬送波との間のオフセットである第２オフセットについての情報と、前記第２副搬送波間隔に対する前記搬送波のリソースブロックの数についての情報とを前記ネットワークから受信することと、
前記第１オフセットと、前記第１副搬送波間隔に対する前記搬送波のリソースブロックの数とに基づいて、前記第１副搬送波間隔と関連した第１中心周波数を計算することと、
前記第２オフセットと、前記第２副搬送波間隔に対する前記搬送波のリソースブロックの数とに基づいて、前記第２副搬送波間隔と関連した第２中心周波数を計算することと、
前記第１中心周波数と前記第２中心周波数との間の差である中心周波数差を計算することと、
前記中心周波数差に基づいて前記第２副搬送波間隔のための信号を生成することと、
前記生成された信号を前記ネットワークに送信することと、を含む、方法。
【請求項２】
前記第２副搬送波間隔と関連した基底信号生成のための基準周波数は、前記第１副搬送波間隔と関連した前記第１中心周波数に整列される、請求項１に記載の方法。
【請求項３】
前記中心周波数差は、前記ネットワークから前記中心周波数差についての情報を受信することなく、前記無線機器それ自体で計算される、請求項１に記載の方法。
【請求項４】
無線機器であって、
メモリと、
送受信部と、
前記メモリ及び前記送受信部と動作可能に連結される少なくとも一つのプロセッサと、を含み、
前記プロセッサは、
複数の副搬送波間隔に対する各リソースブロックグリッドの基準点であるポイントＡについての情報をネットワークから受信することであって、
前記複数の副搬送波間隔は、第１副搬送波間隔と第２副搬送波間隔とを含み、
前記第１副搬送波間隔は、搬送波上で前記ネットワークにより支援される最も高い副搬送波間隔であり、
前記第２副搬送波間隔は、前記第１副搬送波間隔と異なる副搬送波間隔である、ことをするように前記送受信部を制御し、
前記ポイントＡと前記第１副搬送波間隔に対する前記搬送波の最も低い副搬送波との間のオフセットである第１オフセットについての情報と、前記第１副搬送波間隔に対する前記搬送波のリソースブロックの数についての情報とを前記ネットワークから受信するように前記送受信部を制御し、
前記ポイントＡと前記第２副搬送波間隔に対する前記搬送波の最も低い副搬送波との間のオフセットである第２オフセットについての情報と、前記第２副搬送波間隔に対する前記搬送波のリソースブロックの数についての情報とを前記ネットワークから受信するように前記送受信部を制御し、
前記第１オフセットと、前記第１副搬送波間隔に対する前記搬送波のリソースブロックの数とに基づいて、前記第１副搬送波間隔と関連した第１中心周波数を計算し、
前記第２オフセットと、前記第２副搬送波間隔に対する前記搬送波のリソースブロックの数とに基づいて、前記第２副搬送波間隔と関連した第２中心周波数を計算し、
前記第１中心周波数と前記第２中心周波数との間の差である中心周波数差を計算し、
前記中心周波数差に基づいて前記第２副搬送波間隔のための信号を生成し、
前記生成された信号を前記ネットワークに送信するように前記送受信部を制御する、ように構成される、無線機器。
【請求項５】
前記少なくとも一つのプロセッサは、基底信号生成のために、前記第２副搬送波間隔と関連した基準周波数を、前記第１副搬送波間隔と関連した前記第１中心周波数に整列するようにさらに構成される、請求項４に記載の無線機器。
【請求項６】
前記少なくとも一つのプロセッサは、前記中心周波数差を、前記ネットワークから前記中心周波数差についての情報を受信することなく、それ自体で計算するようにさらに構成される、請求項４に記載の無線機器。
【発明の詳細な説明】
【技術分野】
【０００１】
本発明は、無線通信に関し、より詳細には、無線通信システム、特にＮＲ（ｎｅｗ  ｒａｄｉｏ  ａｃｃｅｓｓ  ｔｅｃｈｎｏｌｏｇｙ）で信号を生成する方法及び装置に関する。
【背景技術】
【０００２】
３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）は、高速パケット通信を可能とするための技術である。ＬＴＥの目標であるユーザと事業者の費用節減、サービス品質向上、カバレッジ拡張及びシステム容量増大のために多くの方式が提案された。３ＧＰＰ  ＬＴＥは、上位レベルの必要条件として、ビット当たり費用の節減、サービス有用性の向上、周波数バンドの柔軟な使用、簡単な構造、開放型インターフェース及び端末の適切な電力消費を要求する。
【０００３】
ＩＴＵ（ｉｎｔｅｒｎａｔｉｏｎａｌ  ｔｅｌｅｃｏｍｍｕｎｉｃａｔｉｏｎ  ｕｎｉｏｎ）及び３ＧＰＰでＮＲ（ｎｅｗ  ｒａｄｉｏ  ａｃｃｅｓｓ  ｔｅｃｈｎｏｌｏｇｙ）システムに対する要求事項及び仕様を開発する作業が始まった。ＮＲシステムは、ｎｅｗ  ＲＡＴなどの他の名称で呼ばれることもある。３ＧＰＰは、緊急な市場の要求とＩＴＵ−Ｒ（ＩＴＵ  ｒａｄｉｏ  ｃｏｍｍｕｎｉｃａｔｉｏｎ  ｓｅｃｔｏｒ）ＩＭＴ（ｉｎｔｅｒｎａｔｉｏｎａｌ  ｍｏｂｉｌｅ  ｔｅｌｅｃｏｍｍｕｎｉｃａｔｉｏｎｓ）−２０２０プロセスが提示するより長期的な要求事項を全て適時に満たすＮＲの標準化を成功させるために必要な技術構成要素を識別して開発しなければならない。また、ＮＲは、遠い未来にも無線通信のために利用されることができる少なくとも１００ＧＨｚに達する任意のスペクトラム帯域が使用可能でなければならない。
【０００４】
ＮＲは、ｅＭＢＢ（ｅｎｈａｎｃｅｄ  ｍｏｂｉｌｅ  ｂｒｏａｄｂａｎｄ）、ｍＭＴＣ（ｍａｓｓｉｖｅ  ｍａｃｈｉｎｅ−ｔｙｐｅ−ｃｏｍｍｕｎｉｃａｔｉｏｎｓ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）などを含む全ての配置シナリオ、使用シナリオ、要求事項を扱う単一技術フレームワークを対象とする。ＮＲは、本質的に前方互換性があるべきである。
【発明の概要】
【発明が解決しようとする課題】
【０００５】
ＮＲは、互いに異なる副搬送波間隔に対応する複数のヌメロロジーを支援する。本発明は、ＮＲで複数のヌメロロジーを考慮して信号を生成する方法及び装置を提供する。
【課題を解決するための手段】
【０００６】
一態様において、無線通信システムにおける端末（ＵＥ；ｕｓｅｒ  ｅｑｕｉｐｍｅｎｔ）によって行われる方法が提供される。前記方法は、搬送波の中心周波数に基づいてヌメロロジーに対して信号を生成することと、前記生成された信号を送信することと、を含み、前記搬送波の中心周波数は、ネットワークが支援する最も大きい副搬送波間隔に基づく。
【０００７】
別の態様において、無線通信システムにおける端末（ＵＥ；ｕｓｅｒ  ｅｑｕｉｐｍｅｎｔ）が提供される。前記端末は、メモリと、送受信部と、前記メモリ及び前記送受信部と連結されるプロセッサと、を含む。前記プロセッサは、搬送波の中心周波数に基づいてヌメロロジーに対して信号を生成し、前記生成された信号を送信するように前記送受信部を制御するように構成され、前記搬送波の中心周波数は、ネットワークが支援する最も大きい副搬送波間隔に基づく。
【発明の効果】
【０００８】
複数のヌメロロジーを支援するＮＲにおいて、各ヌメロロジーに対して生成された信号が互いに整列されることができる。
【図面の簡単な説明】
【０００９】
【図１】図１は、本発明の技術的特徴が適用されることができる無線通信システムの一例を示す。
【図２】図２は、本発明の技術的特徴が適用されることができる無線通信システムの別の例を示す。
【図３】図３は、本発明の技術的特徴が適用されることができるフレーム構造の一例を示す。
【図４】図４は、本発明の技術的特徴が適用されることができるフレーム構造の別の例を示す。
【図５】図５は、ＮＲでＴＤＤが使用されるとき、データ伝送のレイテンシを最小化するために使用されるサブフレーム構造の一例を示す。
【図６】図６は、本発明の技術的特徴が適用されることができるリソースグリッドの一例を示す。
【図７】図７は、本発明の技術的特徴が適用されることができる同期化チャネルの一例を示す。
【図８】図８は、本発明の技術的特徴が適用されることができる周波数割り当て方式の一例を示す。
【図９】図９は、本発明の技術的特徴が適用されることができる多重ＢＷＰの一例を示す。
【図１０】図１０は、互いに異なるヌメロロジーのＰＲＢグリッドを整列する一例を示す。
【図１１】図１１は、本発明の一実施例に係り、多数のヌメロロジーに対する信号を生成する方法の一例を示す。
【図１２】図１２は、本発明の別の実施例に係り、多数のヌメロロジーに対する信号を生成する方法の一例を示す。
【図１３】図１３は、本発明の一実施例に係るＵＥが信号を生成する方法を示す。
【図１４】図１４は、本発明の実施例が具現化される無線通信システムを示す。
【発明を実施するための形態】
【００１０】
以下で説明する技術的特徴は、３ＧＰＰ（３ｒｄ  ｇｅｎｅｒａｔｉｏｎ  ｐａｒｔｎｅｒｓｈｉｐ  ｐｒｏｊｅｃｔ）の標準化機構による通信規格や、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）の標準化機構による通信規格等で使用されることができる。例えば、３ＧＰＰの標準化機構による通信規格は、ＬＴＥ（ｌｏｎｇ  ｔｅｒｍ  ｅｖｏｌｕｔｉｏｎ）及び／又はＬＴＥシステムの進化を含む。ＬＴＥシステムの進化は、ＬＴＥ−Ａ（ａｄｖａｎｃｅｄ）、ＬＴＥ−Ａ  Ｐｒｏ、及び／又は５Ｇ  ＮＲ（ｎｅｗ  ｒａｄｉｏ）を含む。ＩＥＥＥの標準化機構による通信規格は、ＩＥＥＥ  ８０２．１１ａ／ｂ／ｇ／ｎ／ａｃ／ａｘなどのＷＬＡＮ（ｗｉｒｅｌｅｓｓ  ｌｏｃａｌ  ａｒｅａ  ｎｅｔｗｏｒｋ）システムを含む。前述したシステムは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、及び／又はＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な多元接続技術をダウンリンク（ＤＬ；ｄｏｗｎｌｉｎｋ）及び／又はアップリンク（ＵＬ；ｕｐｌｉｎｋ）に使用する。例えば、ＤＬにはＯＦＤＭＡのみを使用し、ＵＬにはＳＣ−ＦＤＭＡのみが使用されることができる。或いは、ＤＬ及び／又はＵＬにＯＦＤＭＡとＳＣ−ＦＤＭＡとを混用することもある。
【００１１】
本明細書で、「／」と、「、」は、「及び／又は」を示すものと解釈されなければならない。例えば、「Ａ／Ｂ」という表現は、「Ａ及び／又はＢ」を意味することができる。また、「Ａ、Ｂ」は「Ａ及び／又はＢ」を意味することができる。さらに、「Ａ／Ｂ／Ｃ」は、「Ａ、Ｂ及び／又はＣのいずれか一つ」を意味することができる。さらに、「Ａ、Ｂ、Ｃ」は、「Ａ、Ｂ及び／又はＣのいずれか一つ」を意味することができる。
【００１２】
また、本明細書で、「又は」という用語は、「及び／又は」を示すものと解釈されなければならない。例えば、「Ａ又はＢ」という表現は、１）Ａのみ、２）Ｂのみ、及び／又は３）Ａ及びＢを全て含むことができる。即ち、本明細書で、「又は」という表現は、「さらに又は代案として」を示すものと解釈されなければならない。
【００１３】
図１は、本発明の技術的特徴が適用されることができる無線通信システムの一例を示す。具体的に、図１は、Ｅ−ＵＴＲＡＮ（ｅｖｏｌｖｅｄ−ｕｎｉｖｅｒｓａｌ  ｔｅｒｒｅｓｔｒｉａｌ  ｒａｄｉｏ  ａｃｃｅｓｓ  ｎｅｔｗｏｒｋ）をベースとするシステムアーキテクチャである。前述したＬＴＥは、Ｅ−ＵＴＲＡＮを使用するＥ−ＵＭＴＳ（ｅｖｏｌｖｅｄ−ＵＭＴＳ）の一部である。
【００１４】
図１を参照すると、無線通信システムは、一つ以上のＵＥ（ｕｓｅｒ  ｅｑｕｉｐｍｅｎｔ）１０、Ｅ−ＵＴＲＡＮ及びＥＰＣ（ｅｖｏｌｖｅｄ  ｐａｃｋｅｔ  ｃｏｒｅ）を含む。ＵＥ１０は、ユーザが携帯する通信装置をいう。ＵＥ１０は、固定されるか、又は移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器等の別の用語で呼ばれ得る。
【００１５】
Ｅ−ＵＴＲＡＮは、一つ以上のＢＳ（ｂａｓ  ｓｔａｔｉｏｎ）２０で構成される。ＢＳ２０は、ＵＥ１０に向けたＥ−ＵＴＲＡユーザプレーン及びコントロールプレーンプロトコルの終端を提供する。ＢＳ２０は、一般にＵＥ１０と通信する固定された地点（ｆｉｘｅｄ  ｓｔａｔｉｏｎ）をいう。ＢＳ２０は、セル間の無線リソース管理（ＲＲＭ；ｒａｄｉｏ  ｒｅｓｏｕｒｃｅ  ｍａｎａｇｅｍｅｎｔ）、無線ベアラ（ＲＢ；ｒａｄｉｏ  ｂｅａｒｅｒ）制御、接続移動性制御、無線承認制御、測定の構成／提供、動的リソース割り当て（スケジューラ）などのような機能をホストする。ＢＳ２０は、ｅＮＢ（ｅｖｏｌｖｅｄ  ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等の別の用語と呼ばれ得る。
【００１６】
ダウンリンク（ＤＬ；ｄｏｗｎｌｉｎｋ）は、ＢＳ２０からＵＥ１０への通信を示す。アップリンク（ＵＬ；ｕｐｌｉｎｋ）は、ＵＥ１０からＢＳ２０への通信を示す。サイドリンク（ＳＬ；ｓｉｄｅｌｉｎｋ）は、ＵＥ１０間の通信を示す。ＤＬで、送信機はＢＳ２０の一部であってもよく、受信機はＵＥ１０の一部であってもよい。ＵＬで、送信機はＵＥ１０の一部であってもよく、受信機はＢＳ２０の一部であってもよい。ＳＬで、送信機及び受信機は、ＵＥ１０の一部であってもよい。
【００１７】
ＥＰＣは、ＭＭＥ（ｍｏｂｉｌｉｔｙ  ｍａｎａｇｅｍｅｎｔ  ｅｎｔｉｔｙ）、Ｓ−ＧＷ（ｓｅｒｖｉｎｇ  ｇａｔｅｗａｙ）及びＰ−ＧＷ（ｐａｃｋｅｔ  ｄａｔａ  ｎｅｔｗｏｒｋ（ＰＤＮ）ｇａｔｅｗａｙ）を含む。ＭＭＥは、ＮＡＳ（ｎｏｎ−ａｃｃｅｓｓ  ｓｔｒａｔｕｍ）セキュリティ、アイドル状態の移動性処理、ＥＰＳ（ｅｖｏｌｖｅｄ  ｐａｃｋｅｔ  ｓｙｓｔｅｍ）ベアラ制御等のような機能をホストする。Ｓ−ＧＷは、移動性アンカリングなどのような機能をホストする。Ｓ−ＧＷは、Ｅ−ＵＴＲＡＮを終端点として有するゲートウェイである。便宜上、ＭＭＥ／Ｓ−ＧＷ３０は、単純に「ゲートウェイ」と言及されるが、この個体は、ＭＭＥ及びＳ−ＧＷを全て含むものと理解される。Ｐ−ＧＷは、ＵＥ  ＩＰ（Ｉｎｔｅｒｎｅｔ  ｐｒｏｔｏｃｏｌ）アドレスの割り当て、パケットフィルタリング等のような機能をホストする。Ｐ−ＧＷは、ＰＤＮを終端点として有するゲートウェイである。Ｐ−ＧＷは、外部のネットワークに連結される。
【００１８】
ＵＥ１０は、ＵｕインターフェースによってＢＳ２０に連結される。ＵＥ１０は、ＰＣ５インターフェースによって互いに相互連結される。ＢＳ２０は、Ｘ２インターフェースによって互いに相互連結される。ＢＳ２０は、また、Ｓ１インターフェースを介してＥＰＣに連結される。より具体的には、ＭＭＥにＳ１−ＭＭＥインターフェースにより、且つＳ−ＧＷにＳ１−Ｕインターフェースにより連結される。Ｓ１インターフェースは、ＭＭＥ／Ｓ−ＧＷとＢＳ間の多対多の関係を支援する。
【００１９】
図２は、本発明の技術的特徴が適用されることができる無線通信システムの別の例を示す。具体的に、図２は、５Ｇ  ＮＲ（ｎｅｗ  ｒａｄｉｏ  ａｃｃｅｓｓ  ｔｅｃｈｎｏｌｏｇｙ）システムに基づいたシステムアーキテクチャを示す。５Ｇ  ＮＲシステム（以下、簡単に「ＮＲ」と称する）で使用される個体は、図１で紹介された個体（例えば、ｅＮＢ、ＭＭＥ、Ｓ−ＧＷ）の一部または全ての機能を吸収することができる。ＮＲシステムで使用される個体は、ＬＴＥと区別するために、「ＮＧ」という名称で識別されることができる。
【００２０】
以下、ＮＲについて、後述する説明の理解を助けるために、３ＧＰＰ  ＴＳ  ３８シリーズ（３ＧＰＰ  ＴＳ  ３８．２１１、３８．２１２、３８．２１３、３８．２１４、３８．３３１等）が参照され得る。
【００２１】
図２を参照すると、無線通信システムは、一つ以上のＵＥ１１、ＮＧ−ＲＡＮ（ｎｅｘｔ−ｇｅｎｅｒａｔｉｏｎ  ＲＡＮ）及び第５世代コアネットワーク（５ＧＣ）を含む。ＮＧ−ＲＡＮは、少なくとも一つのＮＧ−ＲＡＮノードで構成される。ＮＧ−ＲＡＮノードは、図１に示されたＢＳ２０に対応する個体である。ＮＧ−ＲＡＮノードは、少なくとも一つのｇＮＢ２１及び／又は少なくとも一つのｎｇ−ｅＮＢ２２で構成される。ｇＮＢ２１は、ＵＥ１１に向けたＮＲユーザプレーン及びコントロールプレーンプロトコルの終端を提供する。Ｎｇ−ｅＮＢ２２は、ＵＥ１１に向けたＥ−ＵＴＲＡユーザプレーン及びコントロールプレーンプロトコルの終端を提供する。
【００２２】
５ＧＣは、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）、ＵＰＦ（ｕｓｅｒ  ｐｌａｎｅ  ｆｕｎｃｔｉｏｎ）及びＳＭＦ（ｓｅｓｓｉｏｎ  ｍａｎａｇｅｍｅｎｔ  ｆｕｎｃｔｉｏｎ）を含む。ＡＭＦは、ＮＡＳセキュリティ、アイドル状態の移動性処理などのような機能をホストする。ＡＭＦは、従来のＭＭＥの機能を含む個体である。ＵＰＦは、移動性アンカリング、ＰＤＵ（ｐｒｏｔｏｃｏｌ  ｄａｔａ  ｕｎｉｔ）処理のような機能をホストする。ＵＰＦは、従来のＳ−ＧＷの機能を含む個体である。ＳＭＦは、ＵＥ  ＩＰアドレスの割り当て、ＰＤＵセッションの制御のような機能をホストする。
【００２３】
ｇＮＢとｎｇ−ｅＮＢは、Ｘｎインターフェースを介して相互連結される。ｇＮＢ及びｎｇ−ｅＮＢは、また、ＮＧインターフェースを介して５ＧＣに連結される。より具体的には、ＮＧ−Ｃインターフェースを介してＡＭＦに、且つＮＧ−Ｕインターフェースを介してＵＰＦに連結される。
【００２４】
以下、ＮＲのフレーム構造及び物理リソースが説明される。
【００２５】
ＬＴＥ／ＬＴＥ−Ａで、一つの無線フレームは１０個のサブフレームで構成され、一つのサブフレームは２個のスロットで構成される。一つのサブフレームの長さは１ｍｓであってもよく、一つのスロットの長さは０．５ｍｓであってもよい。一つの送信ブロックを上位層から物理層へ送信する時間（一般に一つのサブフレームにかけて）は、ＴＴＩ（ｔｒａｎｓｍｉｓｓｉｏｎ  ｔｉｍｅ  ｉｎｔｅｒｖａｌ）と定義される。ＴＴＩは、スケジューリングの最小単位であり得る。
【００２６】
ＮＲで、ＤＬ及びＵＬ送信は、１０ｍｓの長さ（ｄｕｒａｔｉｏｎ）を有する無線フレームを介して行われる。各無線フレームは、１０個のサブフレームを含む。従って、１サブフレームは１ｍｓに該当する。各無線フレームは、２個のハーフフレーム（ｈａｌｆ−ｆｒａｍｅ）に分けられる。
【００２７】
ＬＴＥ／ＬＴＥ−Ａと異なり、ＮＲは多様なヌメロロジーを支援するので、よって、無線フレームの構造が多様である。ＮＲは、周波数領域で色々な副搬送波間隔を支援する。表１は、ＮＲで支援される色々なヌメロロジーを示す。各ヌメロロジーは、インデックスμによって識別されることができる。
【００２８】
【表１】
0006943973.tif 000002
【００２９】
表１を参照すると、副搬送波間隔はインデックスμで識別される１５、３０、６０、１２０及び２４０ｋＨｚのうち一つに設定されることができる。しかし、表１に示した副搬送波間隔は単に例示であり、特定の副搬送波間隔は変更され得る。従って、それぞれの副搬送波間隔（例えば、μ＝０、１．．．４）は、第１副搬送波間隔、第２副搬送波間隔．．．Ｎ番目の副搬送波間隔で表現され得る。
【００３０】
表１を参照すると、副搬送波間隔によってユーザデータ（例えば、ＰＵＳＣＨ（ｐｈｙｓｉｃａｌ  ｕｐｌｉｎｋ  ｓｈａｒｅｄ  ｃｈａｎｎｅｌ）、ＰＤＳＣＨ（ｐｈｙｓｉｃａｌ  ｄｏｗｎｌｉｎｋ  ｓｈａｒｅｄ  ｃｈａｎｎｅｌ））の送信が支援されないことがある。即ち、ユーザデータの送信は、少なくとも一つの特定の副搬送波間隔（例えば、２４０ｋＨｚ）でのみ支援されないことがある。
【００３１】
また、表１を参照すると、副搬送波間隔によって同期チャネル（ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔｉｎｇ  ｃｈａｎｎｅｌ）が支援されないことがある。即ち、同期チャネルは、少なくとも一つの特定の副搬送波間隔（例えば、６０ｋＨｚ）でのみ支援されないことがある。
【００３２】
１個のサブフレームは、Ｎｓｙｍｂｓｕｂｆｒａｍｅ、μ＝Ｎｓｙｍｂｓｌｏｔ＊Ｎｓｌｏｔｓｕｂｆｒａｍｅ、μ個の連続するＯＦＤＭシンボルを含む。ＮＲでは、一つの無線フレーム／サブフレームに含まれるスロットの個数及びシンボルの個数は、様々なヌメロロジー、即ち、多様な副搬送波間隔によって異なり得る。
【００３３】
表２は、一般ＣＰ（ｃｙｃｌｉｃ  ｐｒｅｆｉｘ）で各ヌメロロジーに対するスロット当たりのＯＦＤＭシンボルの個数（Ｎｓｙｍｂｓｌｏｔ）、無線フレーム当たりのスロットの個数（Ｎｓｙｍｂｆｒａｍｅ、μ）及びサブフレーム当たりのスロットの個数（Ｎｓｙｍｂｓｕｂｆｒａｍｅ、μ）の例を示す。
【００３４】
【表２】
0006943973.tif 000003
【００３５】
表２を参照すると、μ＝０に対応する第１ヌメロロジーが適用されると、一つの無線フレームは１０個のサブフレームを含み、一つのサブフレームは一つのスロットに対応し、一つのスロットは１４個のシンボルで構成される。
【００３６】
表３は、拡張ＣＰ（ｅｘｔｅｎｄｅｄ  ｐｒｅｆｉｘ）で各ヌメロロジーに対するスロット当たりのＯＦＤＭシンボルの個数（Ｎｓｙｍｂｓｌｏｔ）、無線フレーム当たりのスロットの個数（Ｎｓｙｍｂｆｒａｍｅ、μ）及びサブフレーム当たりのスロットの個数（Ｎｓｙｍｂｓｕｂｆｒａｍｅ、μ）の例を示す。
【００３７】
【表３】
0006943973.tif 000004
【００３８】
表３を参照すると、拡張ＣＰではμ＝２のみが支援され、このとき、一つの無線フレームは１０個のサブフレームを含み、一つのサブフレームは４個のスロットを含み、一つのスロットは１２個のシンボルで構成される。
【００３９】
本明細書で、シンボルは特定の時間間隔の間に送信される信号を示す。例えば、シンボルは、ＯＦＤＭ処理によって生成された信号を示し得る。即ち、本明細書で、シンボルはＯＦＤＭ／ＯＦＤＭＡシンボル又はＳＣ−ＦＤＭＡシンボル等を称し得る。ＣＰは、各シンボルの間に位置し得る。
【００４０】
図３は、本発明の技術的特徴が適用されることができるフレーム構造の一例を示す。図３で、副搬送波間隔は１５ｋＨｚであり、これはμ＝０に対応する。
【００４１】
図４は、本発明の技術的特徴が適用されることができるフレーム構造の別の例を示す。図４で、副搬送波間隔は３０ｋＨｚであり、これはμ＝１に対応する。
【００４２】
一方、本発明の実施例が適用される無線通信システムには、ＦＤＤ（ｆｒｅｑｕｅｎｃｙ  ｄｉｖｉｓｉｏｎ  ｄｕｐｌｅｘ）及び／又はＴＤＤ（ｔｉｍｅ  ｄｉｖｉｓｉｏｎ  ｄｕｐｌｅｘ）が適用されることができる。ＴＤＤが適用されるとき、ＬＴＥ／ＬＴＥ−Ａで、ＵＬサブフレーム及びＤＬサブフレームは、サブフレーム単位で割り当てられる。
【００４３】
ＮＲで、スロット内のシンボルはＤＬシンボル（Ｄで表される）、フレキシブル（ｆｌｅｘｉｂｌｅ）シンボル（Ｘで表される）、及びＵＬシンボル（Ｕで表される）に分類されることができる。ＤＬフレームのスロットで、ＵＥはＤＬ送信がＤＬシンボル又はフレキシブルシンボルでのみ発生すると仮定する。ＵＬフレームのスロットで、ＵＥはＵＬシンボル又はフレキシブルシンボルでのみ送信しなければならない。フレキシブルシンボルは留保（ｒｅｓｅｒｖｅｄ）シンボル、他の（ｏｔｈｅｒ）シンボル、アンノウン（ｕｎｋｎｏｗｎ）シンボルなどの他の用語と呼ばれ得る。
【００４４】
表４は、対応するフォーマットインデックスによって識別されるスロットフォーマットの例を示す。表４の内容は、特定セルに共通に適用されるか、隣接セルに共通に適用されるか、個別的に又は異なって各ＵＥに適用されることができる。
【００４５】
【表４】
0006943973.tif 000005
【００４６】
説明の便宜上、表４は、ＮＲで実際に定義されたスロットフォーマットの一部のみを示す。特定の割り当て方式が変更または追加され得る。
【００４７】
ＵＥは、上位層のシグナリング（即ち、ＲＲＣ（ｒａｄｉｏ  ｒｅｓｏｕｒｃｅ  ｃｏｎｔｒｏｌ）シグナリング）を介して、スロットフォーマットの構成を受信することができる。或いは、ＵＥはＰＤＣＣＨを介して受信されるＤＣＩ（ｄｏｗｎｌｉｎｋ  ｃｏｎｔｒｏｌ  ｉｎｆｏｒｍａｔｉｏｎ）を介してスロットフォーマットの構成を受信することができる。或いは、ＵＥは上位層のシグナリング及びＤＣＩの組み合わせを通じて、スロットフォーマットの構成を受信することができる。
【００４８】
図５は、ＮＲでＴＤＤが使用されるとき、データ伝送のレイテンシを最小化するために使用されるサブフレーム構造の一例を示す。図５のフレーム構造を自己完結型（ｓｅｌｆ−ｃｏｎｔａｉｎｅｄ）サブフレーム構造という。
【００４９】
図５で、斜線領域はＤＬ制御領域を示し、黒色部分はＵＬ制御領域を示す。表示のない領域は、ＤＬのデータ伝送のために使用されてもよく、ＵＬのデータ伝送のために使用されてもよい。このような構造の特徴は、一つのサブフレーム内でＤＬ送信とＵＬ送信の順に行われることができ、よって、ＵＥは、サブフレーム内でＤＬデータを受信し、ＵＬ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）も送信することができる。結果として、データ伝送のエラー発生時にデータの再送信までかかる時間が減少し、これによって最終データの伝達の遅延が最小化し得る。
【００５０】
このような自己完結型サブフレーム構造で、基地局とＵＥが送信モードから受信モードへ切り替えるか、又は受信モードから送信モードへ切り替えるとき、時間ギャップが必要である。このために、サブフレーム構造でＤＬからＵＬへ切り替えられる時点の一部シンボルがガード区間（ＧＰ；ｇｕａｒｄ  ｐｅｒｉｏｄ）に設定されることができる。
【００５１】
図６は、本発明の技術的特徴が適用されることができるリソースグリッドの一例を示す。図６に示される例は、ＮＲで使用される時間−周波数リソースのグリッドである。図６に示される例は、ＵＬ及び／又はＤＬに適用されることができる。
【００５２】
図６を参照すると、多数のスロットが時間領域上の一つのサブフレーム内に含まれる。具体的に、「μ」の値によって表現されるとき、「１４＊２μ」シンボルがリソースグリッドで表現されることができる。また、一つのリソースブロック（ＲＢ；ｒｅｓｏｕｒｃｅ  ｂｌｏｃｋ）は１２個の連続的な副搬送波を占めることができる。一つのＲＢは、ＰＲＢ（ｐｈｙｓｉｃａｌ  ｒｅｓｏｕｒｃｅ  ｂｌｏｃｋ）と呼ばれ得る。１２個のリソース要素（ＲＥ；ｒｅｓｏｕｒｃｅ  ｅｌｅｍｅｎｔ）が各ＰＲＢに含まれることができる。割り当て可能なＲＢの数は、最小値と最大値に基づいて決定されることができる。割り当て可能なＲＢの数は、ヌメロロジー（「μ」）によって個別に構成されることができる。割り当て可能なＲＢの数は、ＵＬとＤＬに対して同じ値で構成されてもよく、ＵＬとＤＬに対して異なる値で構成されてもよい。
【００５３】
以下、ＮＲのセル探索が説明される。
【００５４】
ＵＥは、セルと時間及び／又は周波数同期を獲得し、セルＩＤ（ｉｄｅｎｔｉｆｉｅｒ）を獲得するためにセル探索を行うことができる。ＰＳＳ、ＳＳＳ及びＰＢＣＨのような同期化チャネルがセル探索に使用されることができる。
【００５５】
図７は、本発明の技術的特徴が適用されることができる同期化チャネルの一例を示す。図７を参照すると、ＰＳＳ及びＳＳＳは一つのシンボル及び１２７個の副搬送波を含むことができる。ＰＢＣＨは、３個のシンボル及び２４０個の副搬送波を含むことができる。
【００５６】
ＰＳＳは、ＳＳ／ＰＢＣＨブロック（ｓｙｎｃｈｒｏｎｉｚａｔｉｏｎ  ｓｉｇｎａｌ／ＰＢＣＨ  ｂｌｏｃｋ）のシンボルタイミングの獲得に使用される。ＰＳＳは、セルＩＤの識別のための三つの仮説（ｈｙｐｏｔｈｅｓｅｓ）を指示する。ＳＳＳはセルＩＤの識別に使用される。ＳＳＳは、３３６個の仮説を指示する。結果として、１００８個の物理層のセルＩＤがＰＳＳ及びＳＳＳによって構成されることができる。
【００５７】
ＳＳ／ＰＢＣＨブロックは、５ｍｓのウィンドウ（ｗｉｎｄｏｗ）内の所定のパターンによって繰り返して送信されることができる。例えば、Ｌ個のＳＳ／ＰＢＣＨブロックが送信される場合、ＳＳ／ＰＢＣＨブロック＃１乃至ＳＳ／ＰＢＣＨブロック＃Ｌはいずれも同じ情報を含むことができるが、異なる方向のビームを介して送信されることができる。即ち、ＱＣＬ（ｑｕａｓｉ  ｃｏ−ｌｏｃａｔｅｄ）関係が、５ｍｓのウィンドウ内のＳＳ／ＰＢＣＨブロックに適用されないことがある。ＳＳ／ＰＢＣＨブロックを受信するのに使用されるビームは、ＵＥとネットワーク間の後続動作（例えば、ランダムアクセス動作）に使用されることができる。ＳＳ／ＰＢＣＨブロックは、特定期間だけ繰り返されることができる。繰り返し周期は、ヌメロロジーによって個別的に構成されることができる。
【００５８】
図７を参照すると、ＰＢＣＨは第２シンボル／第４シンボルに対して２０個のＲＢ及び第３シンボルに対して８個のＲＢの帯域幅を有する。ＰＢＣＨは、ＰＢＣＨをデコーディングするためのＤＭ−ＲＳ（ｄｅｍｏｄｕｌａｔｉｏｎ  ｒｅｆｅｒｅｎｃｅ  ｓｉｇｎａｌ）を含む。ＤＭ−ＲＳに対する周波数領域は、セルＩＤによって決定される。ＬＴＥ／ＬＴＥ−Ａとは異なり、ＣＲＳ（ｃｅｌｌ−ｓｐｅｃｉｆｉｃ  ｒｅｆｅｒｅｎｃｅ  ｓｉｇｎａｌ）がＮＲで定義されないため、ＰＢＣＨをデコーディングするための特別なＤＭ−ＲＳ（即ち、ＰＢＣＨ−ＤＭＲＳ）が定義される。ＰＢＣＨ−ＤＭＲＳは、ＳＳ／ＰＢＣＨブロックはインデックスを示す情報を含むことができる。
【００５９】
ＰＢＣＨは多様な機能を行う。例えば、ＰＢＣＨはＭＩＢ（ｍａｓｔｅｒ  ｉｎｆｏｒｍａｔｉｏｎ  ｂｌｏｃｋ）を放送する機能を行うことができる。システム情報（ＳＩ；ｓｙｓｔｅｍ  ｉｎｆｏｒｍａｔｉｏｎ）は最小ＳＩ（ｍｉｎｉｍｕｍ  ＳＩ）とその他のＳＩ（ｏｔｈｅｒ  ＳＩ）とに分けられる。最小ＳＩは、ＭＩＢとＳＩＢ１（ｓｙｓｔｅｍ  ｉｎｆｏｒｍａｔｉｏｎ  ｂｌｏｃｋ  ｔｙｐｅ−）とに分けられる。ＭＩＢを除いた最小ＳＩは、ＲＭＳＩ（ｒｅｍａｉｎｉｎｇ  ｍｉｎｉｍｕｍ  ＳＩ）といえる。即ち、ＲＭＳＩはＳＩＢ１と称することができる。
【００６０】
ＭＩＢは、ＳＩＢ１をデコーディングするのに必要な情報を含む。例えば、ＭＩＢはＳＩＢ１（及びランダムアクセス手続で使用されるＭＳＧ  ２／４、その他ＳＩ）に適用される副搬送波間隔に対する情報、ＳＳ／ＰＢＣＨブロックと後続して送信されるＲＢ間の周波数オフセットに対する情報、ＰＤＣＣＨ／ＳＩＢの帯域幅に対する情報、ＰＤＣＣＨをデコーディングするための情報（例えば、後述される探索空間／ＣＯＲＥＳＥＴ（ｃｏｎｔｒｏｌ  ｒｅｓｏｕｒｃｅ  ｓｅｔ）／ＤＭ−ＲＳ等に対する情報）を含むことができる。ＭＩＢは周期的に送信されてもよく、同じ情報は、８０ｍｓの時間間隔の間に繰り返して送信されてもよい。ＳＩＢ１はＰＤＳＣＨを介して繰り返して送信されてもよい。ＳＩＢ１はＵＥの初期アクセスのための制御情報及び他のＳＩＢをデコーディングするための情報を含む。
【００６１】
以下、ＮＲ  ＤＬ制御チャネルが説明される。
【００６２】
ＰＤＣＣＨのための探索空間は、ＵＥがブラインドデコーディングを行う制御チャネル候補の集合に該当する。ＬＴＥ／ＬＴＥ−Ａで、ＰＤＣＣＨに対する探索空間は、ＣＳＳ（ｃｏｍｍｏｎ  ｓｅａｒｃｈ  ｓｐａｃｅ）及びＵＳＳ（ＵＥ−ｓｐｅｃｉｆｉｃ  ｓｅａｒｃｈ  ｓｐａｃｅ）に区分される。各探索空間の大きさ及び／又はＰＤＣＣＨに含まれたＣＣＥ（ｃｏｎｔｒｏｌ  ｃｈａｎｎｅｌ  ｅｌｅｍｅｎｔ）の大きさは、ＰＤＣＣＨフォーマットによって決定される。
【００６３】
ＮＲでは、ＰＤＣＣＨに対するリソース要素グループ（ＲＥＧ；ｒｅｓｏｕｒｃｅ  ｅｌｅｍｅｎｔ  ｇｒｏｕｐ）とＣＣＥが定義される。ＮＲでは、ＣＯＲＥＳＥＴの概念が定義される。具体的に、一つのＲＥＧは１２個のＲＥ、即ち、一つのＯＦＤＭシンボルを介して送信された一つのＲＢに対応する。それぞれのＲＥＧはＤＭ−ＲＳを含む。一つのＣＣＥは、複数のＲＥＧ（例えば、６個のＲＥＧ）を含む。ＰＤＣＣＨは、１、２、４、８又は１６  ＣＣＥで構成されたリソースを介して送信されることができる。ＣＣＥの個数は、集合レベル（ａｇｇｒｅｇａｔｉｏｎ  ｌｅｖｅｌ）によって決定されることができる。即ち、集合レベルが１である場合、 １  ＣＣＥ、集合レベルが２である場合、２  ＣＣＥ、集合レベルが４である場合、４  ＣＣＥ、集合レベルが８である場合は、８  ＣＣＥ、集合レベルが１６である場合は、１６  ＣＣＥが特定のＵＥに対するＰＤＣＣＨに含まれることができる。
【００６４】
ＣＯＲＥＳＥＴは、制御信号の送信のためのリソースの集合である。ＣＯＲＥＳＥＴは、１／２／３ＯＦＤＭシンボル及び多重ＲＢで定義されることができる。ＬＴＥ／ＬＴＥ−Ａで、ＰＤＣＣＨに使用されるシンボルの個数は、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）によって定義される。しかし、ＰＣＦＩＣＨは、ＮＲで使用されない。代わりに、ＣＯＲＥＳＥＴに使用されるシンボルの数は、ＲＲＣメッセージ（及び／又はＰＢＣＨ／ＳＩＢ１）によって定義されることができる。また、ＬＴＥ／ＬＴＥ−Ａでは、ＰＤＣＣＨの周波数帯域幅が全体システム帯域幅と同一であるため、ＰＤＣＣＨの周波数帯域幅に関するシグナリングがない。ＮＲで、ＣＯＲＥＳＥＴの周波数領域は、ＲＢの単位でＲＲＣメッセージ（及び／又はＰＢＣＨ／ＳＩＢ１）によって定義されることができる。
【００６５】
基地局は、ＣＯＲＥＳＥＴに対する情報をＵＥへ送信することができる。例えば、各ＣＯＲＥＳＥＴのためにＣＯＲＥＳＥＴの構成に対する情報が送信されることができる。ＣＯＲＥＳＥＴの構成に対する情報を通じて該当ＣＯＲＥＳＥＴの時間の長さ（ｔｉｍｅ  ｄｕｒａｔｉｏｎ）（ｅ．ｇ．１／２／３シンボル等）、周波数領域リソース（ｅ．ｇ．ＲＢ集合）、ＲＥＧ−ｔｏ−ＣＣＥのマッピングタイプ（ｅ．ｇ．インターリービング可否）、プリコーディング粒度（ｇｒａｎｕｌａｒｉｔｙ）、ＲＥＧのバンドリングの大きさ（ＲＥＧ−ｔｏ−ＣＣＥのマッピングタイプがインターリービングである場合）、インターリーバの大きさ（ＲＥＧ−ｔｏ−ＣＣＥのマッピングタイプがインターリービングである場合）及びＤＭＲＳ構成（ｅ．ｇ．スクランブリングＩＤ）のうち少なくとも一つが送信されることができる。１シンボル−ＣＯＲＥＳＥＴにＣＣＥを分散させるインターリービングが適用される場合、２個又は６個のＲＥＧのバンドリングが行われることができる。２シンボル−ＣＯＲＥＳＥＴに２個又は６個のＲＥＧのバンドリングが行われることができ、時間優先マッピングが適用されることができる。３シンボル−ＣＯＲＥＳＥＴに３個又は６個のＲＥＧのバンドリングが行われることができ、時間優先マッピングが適用されることができる。ＲＥＧのバンドリングが行われる場合、ＵＥは、該当バンドリングの単位に対して同一のプリコーディングを仮定することができる。
【００６６】
ＮＲでＰＤＣＣＨの探索空間がＣＳＳとＵＳＳとに区分される。探索空間は、ＣＯＲＥＳＥＴ上に設定されることができる。一例として、一つのＣＯＲＥＳＥＴに一つの探索空間が定義されることができる。このとき、ＣＳＳのためのＣＯＲＥＳＥＴとＵＳＳのためのＣＯＲＥＳＥＴとがそれぞれ構成されることができる。別の例として、一つのＣＯＲＥＳＥＴに複数の探索空間が定義されることができる。即ち、ＣＳＳとＵＳＳが同一のＣＯＲＥＳＥＴに構成されることができる。以下の例示で、ＣＳＳは、ＣＳＳが構成されるＣＯＲＥＳＥＴを意味し、ＵＳＳは、ＵＳＳが構成されるＣＯＲＥＳＥＴ等を意味し得る。ＵＳＳはＲＲＣメッセージによって指示されることができるので、ＵＥがＵＳＳをデコーディングするためには、ＲＲＣ連結が必要であり得る。ＵＳＳはＵＥに割り当てられたＰＤＳＣＨのデコーディングのための制御情報を含むことができる。
【００６７】
ＲＲＣ構成が完了しない場合にも、ＰＤＣＣＨはデコーディングされなければならないので、ＣＳＳが定義されなければならない。例えば、ＣＳＳはＳＩＢ１を伝達するＰＤＳＣＨをデコーディングするためのＰＤＣＣＨが構成されるとき、又はＭＳＧ  ２／４を受信するためのＰＤＣＣＨがランダムアクセス手続で構成されるとき定義されることができる。ＮＲでは、ＬＴＥ／ＬＴＥ−Ａと同様に、ＰＤＣＣＨは特定の目的のためのＲＮＴＩ（ｒａｄｉｏ  ｎｅｔｗｏｒｋ  ｔｅｍｐｏｒａｒｙ  ｉｄｅｎｔｉｆｉｅｒ）によってスクランブリングされることができる。
【００６８】
ＮＲのリソース割り当てが説明される。
【００６９】
ＮＲでは、特定の個数（例えば、最大４個）の帯域幅部分（ＢＷＰ；ｂａｎｄｗｉｄｔｈ  ｐａｒｔ）が定義されることができる。ＢＷＰ（又は搬送波ＢＷＰ）は、連続するＰＲＢの集合であり、共通ＲＢ（ＣＲＢ；ｃｏｍｍｏｎ  ＲＢ）の連続的な副集合で表し得る。ＣＲＢ内の各ＲＢはＣＲＢ０と始めて、ＣＲＢ１、ＣＲＢ２等で表し得る。
【００７０】
図８は、本発明の技術的特徴が適用されることができる周波数割り当て方式の一例を示す。
【００７１】
図８を参照すると、多数のＢＷＰがＣＲＢグリッドで定義されることができる。ＣＲＢグリッドの基準点（共通基準点、開始点等と言及され得る）は、ＮＲで所謂「ポイントＡ」と呼ばれる。ポイントＡは、ＲＭＳＩ（即ち、ＳＩＢ１）によって指示される。具体的に、ＳＳ／ＰＢＣＨブロックが送信される周波数帯域とポイントＡとの間の周波数オフセットがＲＭＳＩを介して指示されることができる。ポイントＡは、ＣＲＢ０の中心周波数に対応する。また、ポイントＡは、ＮＲでＲＥの周波数帯域を指示する変数「ｋ」が０に設定される地点であり得る。図８に示された多数のＢＷＰは、一つのセル（例えば、ＰＣｅｌｌ（ｐｒｉｍａｒｙ  ｃｅｌｌ））で構成される。複数のＢＷＰは、個別に又は共通に各セルに対して構成されることができる。
【００７２】
図８を参照すると、それぞれのＢＷＰは、ＣＲＢ０からの大きさ及び開始点によって定義されることができる。例えば、一番目のＢＷＰ、即ち、ＢＷＰ＃０は、ＣＲＢ０からのオフセットを介して開始点によって定義されることができ、ＢＷＰ＃０に対する大きさを介して、ＢＷＰ＃０の大きさが決定されることができる。
【００７３】
特定の個数（例えば、最大４個）のＢＷＰがＵＥに対して構成されることができる。複数のＢＷＰが構成されても、与えられた時間の間にセル別にただ特定の個数（例えば、１個）のＢＷＰのみが活性化されることができる。但し、ＵＥにＳＵＬ（ｓｕｐｐｌｅｍｅｎｔａｒｙ  ｕｐｌｉｎｋ）搬送波が構成される場合、さらに最大４個のＢＷＰがＳＵＬ搬送波に構成されることができ、与えられた時間の間に１個のＢＷＰが活性化されることができる。構成可能なＢＷＰの個数や、活性化されたＢＷＰの個数は、ＵＬ及びＤＬに対して共通に又は個別に構成されることができる。また、ＤＬ  ＢＷＰに対するヌメロロジー及び／又はＣＰ、ＵＬ  ＢＷＰに対するヌメロロジー及び／又はＣＰは、ＤＬシグナリングを介してＵＥに構成されることができる。ＵＥは、活性ＤＬ  ＢＷＰでのみＰＤＳＣＨ、ＰＤＣＣＨ、ＣＳＩ（ｃｈａｎｎｅｌ  ｓｔａｔｅ  ｉｎｆｏｒｍａｔｉｏｎ）ＲＳ及び又はＴＲＳ（ｔｒａｃｋｉｎｇ  ＲＳ）を受信することができる。また、ＵＥは、活性ＵＬ  ＢＷＰにのみＰＵＳＣＨ及び／又はＰＵＣＣＨ（ｐｈｙｓｉｃａｌ  ｕｐｌｉｎｋ  ｃｏｎｔｒｏｌ  ｃｈａｎｎｅｌ）を送信することができる。
【００７４】
図９は、本発明の技術的特徴が適用されることができる多重ＢＷＰの一例を示す。
【００７５】
図９を参照すると、３個のＢＷＰが構成されることができる。第１のＢＷＰは、４０ＭＨｚ帯域にかけていることがあり、１５ｋＨｚの副搬送波間隔が適用されることができる。第２のＢＷＰは、１０ＭＨｚ帯域にかけていることがあり、１５ｋＨｚの副搬送波間隔が適用されることができる。第３のＢＷＰは２０ＭＨｚ帯域にかけていることがあり、６０ｋＨｚの副搬送波間隔が適用されることができる。ＵＥは、３個のＢＷＰのうち少なくとも一つのＢＷＰを活性ＢＷＰで構成することができ、活性ＢＷＰを介してＵＬ及び／又はＤＬのデータ通信を行うことができる。
【００７６】
時間リソースは、ＤＬ又はＵＬリソースを割り当てるＰＤＣＣＨの送信時点に基づいて時間差／オフセットを示す方式で指示されることができる。例えば、ＰＤＣＣＨに対応するＰＤＳＣＨ／ＰＵＳＣＨの開始点とＰＤＳＣＨ／ＰＵＳＣＨによって占有されるシンボルの個数が指示されることができる。
【００７７】
キャリアアグリゲーション（ＣＡ：ｃａｒｒｉｅｒ  ａｇｇｒｅｇａｔｉｏｎ）が説明される。ＬＴＥ／ＬＴＥ−Ａと同様に、ＣＡはＮＲで支援されることができる。即ち、連続又は不連続なコンポーネントキャリア（ＣＣ；ｃｏｍｐｏｎｅｎｔ  ｃａｒｒｉｅｒ）を集成して帯域幅を増加させて、結果としてビット率を増加させることができる。それぞれのＣＣは、（サービング）セルに対応することができ、各ＣＣ／セルはＰＳＣ（ｐｒｉｍａｒｙ  ｓｅｒｖｉｎｇ  ｃｅｌｌ）／ＰＣＣ（ｐｒｉｍａｒｙ  ＣＣ）又はＳＳＣ（ｓｅｃｏｎｄａｒｙ  ｓｅｒｖｉｎｇ  ｃｅｌｌ）／ＳＣＣ（ｓｅｃｏｎｄａｒｙ  ＣＣ）に分けられる。  
【００７８】
表５は、６ＧＨｚ以下の周波数帯域におけるスペクトラムの使用を示す。６ＧＨｚ以下の周波数帯域は、周波数範囲１（ＦＲ１；ｆｒｅｑｕｅｎｃｙ  ｒａｎｇｅ１）と呼ばれ得る。表５は、ＦＲ１で支援される帯域幅によるＲＢの個数を示す。
【００７９】
【表５】
0006943973.tif 000006
【００８０】
表６は、ミリ波（ｍｍＷａｖｅ）以下の周波数帯域におけるスペクトラムの使用を示す。ミリ波以下の周波数帯域は、周波数範囲２（ＦＲ２；ｆｒｅｑｕｅｎｃｙ  ｒａｎｇｅ２）と呼ばれ得る。表６は、ＦＲ２で支援される帯域幅によるＲＢの個数を示す。
【００８１】
【表６】
0006943973.tif 000007
【００８２】
ＰＲＢの活用は、ＵＥ又はＢＳチャネルの帯域幅に属し、最小ガードに違反しないＰＲＢの集合である。
【００８３】
表７は、ＦＲ１に対する最小ガードの大きさ（ｋＨｚ）を示す。表７は、ＦＲ１で支援される帯域幅による最小ガードの大きさを示す。ガードは、搬送波の両方で最後のＰＲＢからチャネル帯域幅の境界まで位置する。
【００８４】
【表７】
0006943973.tif 000008
【００８５】
表８は、ＦＲ２に対する最小ガードの大きさ（ｋＨｚ）を示す。表８は、ＦＲ２で支援される帯域幅による最小ガードの大きさを示す。
【００８６】
【表８】
0006943973.tif 000009
【００８７】
実際のスペクトラムの活用は、チャネルのＲＢ整列に応じて変わり、表５及び表６に示された数字よりも１ＲＢが小さくなることがある。
【００８８】
互いに異なるヌメロロジーを効果的に支援するために、ＮＲでは各ヌメロロジーの副搬送波０が整列されていると仮定する。スペクトラムの効率を極大化して（よって、必要な最小ガードの大きさを満たしながら）、ガード帯域を対称的に合わせながらも、互いに異なるヌメロロジーのＰＲＢグリッドを整列することもまた必要である。
【００８９】
図１０は、互いに異なるヌメロロジーのＰＲＢグリッドを整列する一例を示す。図１０を参照すると、１５ｋＨｚの副搬送波間隔に対応する第１ヌメロロジーの２５ＲＢと、３０ｋＨｚの副搬送波間隔に対応する第２ヌメロロジーの１１ＲＢが整列される、互いに異なる例を示す。１５ｋＨｚの副搬送波間隔の２５ＲＢと３０ｋＨｚの副搬送波間隔の１１ＲＢが互いに整列されるために、３０ｋＨｚの副搬送波間隔のＰＲＢグリッドが遷移されることができる。これに関して、基準の副搬送波間隔よりも大きい全ての副搬送波間隔に対して、ＰＲＢグリッドの遷移が支援されるか否かと、互いに異なる副搬送波間隔のためにＰＲＢ整列に対して追加的な制限が必要であるか否かが議論され得る。
【００９０】
異なるヌメロロジー間の互いに異なるＰＲＢグリッドが考慮されるとき、基底帯域信号生成の観点から基本周波数が考慮されることができる。基本周波数は、与えられたヌメロロジー別に搬送波帯域幅の中間地点、又は与えられたヌメロロジー別に各搬送波の最も低い副搬送波であり得る。或いは、基本周波数は、与えられたヌメロロジー別にＵＥの活性ＢＷＰの中間地点、又は与えられたヌメロロジー別にＵＥの活性ＢＷＰの最も低い副搬送波であり得る。ＦＦＴ（ｆａｓｔ  Ｆｏｕｒｉｅｒ  ｔｒａｎｓｆｏｒｍ）は、基本周波数に対して０又は中心周波数を仮定し得る。
【００９１】
ＮＲで、ＢＷＰ動作、広帯域動作、複数のヌメロロジー等のような多様なシナリオにより、信号の発生／受信は、整列された中心周波数（例えば、ＬＴＥでのように搬送波の中心周波数）の代わりに、各装置の中心周波数に基づくことができる。しかし、位相を補償するために、ネットワークとＵＥ間の共通基準が依然として必要であることがある。共通基準は、絶対周波数０又は各周波数領域の開始周波数又は周波数範囲当たり固定された値の集合（例えば、ＦＲ１は０、ＦＲ２は２４０００ＭＨｚ）又は各周波数帯域の開始周波数であり得る。
【００９２】
即ち、信号は送信機の中心周波数と基準周波数間のオフセットを事前に補償することによって、共通基準に基づいて生成され得る。以下の説明で、便宜上、送信機の中心周波数は「Ｆ０」といえ、基底帯域信号生成の基準周波数は「ｄ０」といえる。
【００９３】
複数のヌメロロジーを考慮すると、シナリオに応じて、各ヌメロロジーに対するＰＲＢグリッド（即ち、保護帯域）がＳＳ／ＰＢＣＨブロックの位置に対して固定されないことがある。例えば、前述した図１０を参照すると、１５ｋＨｚの副搬送波間隔のＰＲＢグリッドが左側でより大きい保護帯域を有すれば、保護帯域を対称的に構成するために３０ｋＨｚの副搬送波間隔のＰＲＢグリッドに対して、（２）を使用することが好ましい。一方、１５ｋＨｚの副搬送波間隔のＰＲＢグリッドが右側でより大きい保護帯域を有すれば、３０ｋＨｚの副搬送波間隔のＰＲＢグリッドに対して、（３）を使用することが好ましい。即ち、周波数帯域によって各ヌメロロジーに対するガードバンドのバランスを合わせるために、最適のＰＲＢグリッドのマッピングが異なり得る。場合によって、ポイントＡ（全てのヌメロロジーの副搬送波０が整列される地点）と与えられたヌメロロジーの各搬送波の最も低い副搬送波（又は中心副搬送波）間のオフセットが異なり得る。
【００９４】
本発明の一実施例に係ると、多数のヌメロロジーに対する信号生成において、次の二つの接近法が考慮されることができる。
【００９５】
（１）接近法１：各ヌメロロジーに対するＦ０が整列されることができる。或いは、各ヌメロロジーに対するｄ０が整列されることができる。例えば、ネットワークが支援するか、帯域幅が支援する最も低い副搬送波間隔又は最も高い副搬送波間隔の中心周波数を共通基準に使用し、各ヌメロロジーに対するＦ０又はｄ０が整列されることができる。
【００９６】
（２）接近法２：各ヌメロロジーに対するＦ０又はｄ０は、各ヌメロロジーのＰＲＢグリッドに基づいて決定されることができる。従って、各ヌメロロジーに対するＦ０又はｄ０は、ヌメロロジー毎に異なり得る。各ヌメロロジーに対するＦ０又はｄ０は、互いに整列されないことがある。
【００９７】
図１１は、本発明の一実施例に係り、多数のヌメロロジーに対する信号を生成する方法の一例を示す。図１１で、ネットワーク又は帯域幅が支援する副搬送波間隔が１５ｋＨｚ、３０ｋＨｚ、６０ｋＨｚであり、ネットワーク又は帯域幅が支援する最も大きい副搬送波間隔は６０ｋＨｚであると仮定する。ＳＳ／ＰＢＣＨブロックは、１５ＫＨｚの副搬送波間隔を使用して送信され得る。各ヌメロロジーに対してＰＲＢグリッドが生成され得るものであり、ポイントＡでは全てのヌメロロジーに対するＰＲＢグリッドで副搬送波０が整列される。図１１を参照すると、各ヌメロロジーに対する信号の生成のために、各ヌメロロジーに対するＰＲＢグリッドの中心周波数Ｆ０及び／又は各ヌメロロジーに対する基底帯域信号生成の基準周波数ｄ０が共通基準に基づいて整列されることができる。図１１を参照すると、ネットワーク又は帯域幅が支援する最も高い副搬送波間隔である６０ｋＨｚの副搬送波間隔の中心周波数が共通基準に使用されることができる。即ち、６０ｋＨｚよりも小さい副搬送波間隔である３０ｋＨｚ又は１５ｋＨｚの副搬送波間隔に対するＰＲＢグリッドで、中心周波数は６０ｋＨｚの副搬送波間隔の中心周波数を基準として遷移／整列されることができる。整列された各ヌメロロジーに対する中心周波数によって、基底帯域信号生成の基準周波数であるｄ０が決定されることができる。或いは、６０ｋＨｚよりも小さい副搬送波間隔である３０ｋＨｚ又は１５ｋＨｚの副搬送波間隔に対するＰＲＢグリッドで、基底帯域信号生成の基準周波数は、６０ｋＨｚの副搬送波間隔の中心周波数を基準として遷移／整列されることができる。
【００９８】
図１２は、本発明の別の実施例に係り、多数のヌメロロジーに対する信号を生成する方法の一例を示す。図１２で、ネットワーク又は帯域幅が支援する副搬送波間隔が１５ｋＨｚ、３０ｋＨｚ、６０ｋＨｚであり、ネットワーク又は帯域幅が支援する最も高い副搬送波間隔は６０ｋＨｚであると仮定する。ＳＳ／ＰＢＣＨブロックは、１５ＫＨｚの副搬送間隔を使用して送信され得る。各ヌメロロジーに対してＰＲＢグリッドが生成され得るものであり、ポイントＡでは全てのヌメロロジーに対するＰＲＢグリッドで副搬送波０が整列される。図１２を参照すると、各ヌメロロジーに対するＰＲＢグリッドの中心周波数Ｆ０及び／又は各ヌメロロジーに対する基底帯域信号生成の基準周波数ｄ０が互いに整列されない。即ち、各ヌメロロジーに対するＦ０は、各ヌメロロジーのＰＲＢグリッドに基づいて決定されることができる。図１１とは異なり、３０ｋＨｚ又は１５ｋＨｚの副搬送波間隔に対するＰＲＢグリッドで、中心周波数は６０ｋＨｚの副搬送波間隔の中心周波数を基準として遷移／整列されない。
【００９９】
接近法１は、互いに異なるヌメロロジー間の中心周波数が整列されるというメリットがある。即ち、整列された中心周波数に基づいて基底帯域信号生成が実行されることができる。接近法１は、互いに異なるヌメロロジー間のＦＤＭ（ｆｒｅｑｕｅｎｃｙ  ｄｉｖｉｓｉｏｎ  ｍｕｌｔｉｐｌｅｘｉｎｇ）及び異なるヌメロロジー間の速いＴＤＭ（ｔｉｍｅ  ｄｉｖｉｓｉｏｎ  ｍｕｌｔｉｐｌｅｘｉｎｇ）に効果的に使用されることができる。しかし、接近法１は、互いに異なるヌメロロジー間で共通基準周波数を決定する必要があり、また、潜在的にヌメロロジー別に互いに異なる中心周波数が補償される必要がある。
【０１００】
現在のＮＲの標準で、ＵＥにポイントＡ（全てのヌメロロジーの副搬送波０が整列される地点）、ポイントＡと与えられたヌメロロジーの搬送波の最も低い副搬送波間のオフセット及び該当搬送波のＲＢの個数が指示される。共通基準周波数を決定するためには、特定の規則が必要であり得る。例えば、共通基準周波数は、同じ周波数帯域でネットワークにより支援される最も高い副搬送波間隔又は最も低い副搬送波間隔に対するＰＲＢグリッドの中心周波数であり得る。或いは、共通基準周波数は、固定された副搬送波間隔（例えば、ＦＲ１の場合、１５ｋＨｚ、ＦＲ２の場合、６０ｋＨｚ）に対するＰＲＢグリッドの中心周波数であり得る。最大又は最小の副搬送波間隔に対するＰＲＢグリッドの中心周波数が共通基準周波数として使用される場合、各ヌメロロジーに対して計算された中心周波数と共通基準周波数間の差異の値が指示されるか、計算される必要があり得る。各ヌメロロジーに対する中心周波数は、ヌメロロジーに対して最も低い副搬送波及び搬送波のＲＢの個数に基づいて計算され得る。即ち、搬送波のＰＲＢグリッドの中心は、ポイントＡと搬送波の最も低い副搬送波間のオフセット及び搬送波の対するＲＢの個数から誘導されて計算される中心周波数であり得る。
【０１０１】
全ての搬送波の支援されるヌメロロジーが指示されなければ、各ヌメロロジーに対する中心周波数と共通基準周波数の差異がシグナリングされる必要があり得る。どちらが基準に使用されるかに応じて、互いに異なるシグナリングが必要であり得る。例えば、最も小さい副搬送波間隔に対するＰＲＢグリッドの中心周波数が共通基準周波数として使用される場合、最も大きい副搬送波間隔が最も小さい副搬送波間隔の４倍であると、各ヌメロロジーに対する差異の値は、｛−６、−３、０、３、６｝であってもよい。最も大きい副搬送波間隔に対するＰＲＢグリッドの中心周波数が共通基準周波数として使用される場合、最も大きい副搬送波間隔が最も小さい副搬送波間隔の４倍であると、各ヌメロロジーに対する差異の値は、｛−１２、−６、０、６、１２｝であってもよい。最も大きい副搬送波間隔が最も小さい副搬送波間隔の４倍よりも大きい場合、−１．５のような異なる値が接近法１に必要であり得るので、好ましくないことがある。このような場合、接近法２を使用すべきことがある。搬送波の最も低い副搬送波がｄ０に使用される場合、同じ値の集合が必要であり得る。
【０１０２】
接近法１を使用する場合、信号生成及びアップコンバージョン（ｕｐ−ｃｏｎｖｅｒｓｉｏｎ）のために次のオプションが考慮されることができる。
【０１０３】
（１）オプション１：ヌメロロジーの信号生成のためのｄ０は、共通基準周波数に基づいて補償／決定されることができる。同じアップコンバージョンの周波数を許容するために、各ヌメロロジーの信号生成は、共通基準周波数、即ち、整列された中心周波数Ｆ０に基づいてｄ０を決定することができる。このオプションは、各ヌメロロジーのＰＲＢグリッドに基づいて計算された中心の代わりに支援されるヌメロロジーに対する共通基準周波数である仮想中心に基づいてリソースをマッピングすることと理解されることができる。リソースマッピングの観点から、ｄ０の副搬送波インデックスは、オフセットが適用されるか否かに応じて異なり得る。このオプションを使用するために、各ヌメロロジーのＰＲＢグリッドの情報がＲＭＳＩ受信前に提供されないので、ＳＳ／ＰＢＣＨブロック及び／又はＲＭＳＩの送信は、このオフセットを考慮しないか、オフセット値が０であると仮定し得る。しかし、これは、ＵＥが搬送波情報及び／又はヌメロロジーの特定のオフセット値の明示的シグナリングを受信した以降に、ＲＭＳＩ送信に対して混乱を招き得る。従って、初期のＤＬ  ＢＷＰでの全ての送信及び／又は初期のＤＬ  ＢＷＰでのＳＳ／ＰＢＣＨブロック／ＲＭＳＩ送信及び／又はＳＳ／ＰＢＣＨ送信及びＲＭＳＩ受信以前のＲＭＳＩ送信（例えば、ＲＭＳＩアップデート、初期接続）に対しては、ヌメロロジーの特定のオフセットが適用されないと仮定し得る。
【０１０４】
或いは、ＲＭＳＩに使用されたヌメロロジーに対するＰＲＢグリッドが基準として使用され得る。ＵＥ特定ＢＷＰでＲＭＳＩがまたモニタリングされる場合、ＲＭＳＩに使用されるヌメロロジーは、初期のＤＬ  ＢＷＰで使用されるヌメロロジーであり得る。従って、ＲＭＳＩを読むのに曖昧性が発生せず、ＳＳ／ＰＢＣＨブロックは、複数のヌメロロジーを考慮せずに送信され得る。オフセットは、ＲＭＳＩに使用されたヌメロロジーに対するＰＲＢグリッドの計算された中心が共通基準周波数であると仮定して決定され得る。この場合、最も大きい副搬送波間隔がネットワーク又は帯域によって支援される最も小さい副搬送波間隔の４倍よりも大きくなければ、オフセット値は｛−１２、−９、−６、−３、０、３、６、９｝であってもよい。
【０１０５】
下記で説明する他のオプションについても類似の問題が発生することがあり、類似の方式を使用して問題を緩和することができる。
【０１０６】
（２）オプション２：ヌメロロジーの信号生成のためのｄ０は、互いに異なるヌメロロジー間の整列のための補償／オフセットを考慮せず、自体のヌメロロジーのみに基づくことができる。各ヌメロロジーに対して互いに異なるアップコンバージョン周波数が使用されることができ、共通基準周波数（異なるアップコンバージョン周波数、即ち、異なるｆｂａｓｅ＋ｆｇａｐｕ）が各ヌメロロジーに対して使用されることができる。例えば、計算された中心周波数と共通基準周波数の差によって、中心周波数が２ＧＨｚである場合、２ＧＨｚ＋オフセット＊副搬送波間隔［ｋＨｚ］が与えられたヌメロロジーに対するアップコンバージョンに使用されることができる。オプション１で説明したように、ＲＭＳＩと他のチャネル間の異なる接近方式を有して処理することがこのオプションでも必要であり得る。即ち、共通基準周波数は、ＲＭＳＩに使用されたヌメロロジーに基づいて決定されることができる。即ち、このオプションは、アップコンバージョンでのｆＴＸ（各ヌメロロジーに対して計算された中心周波数）が複数のヌメロロジーにかけて同一であり（基準ヌメロロジーによって決定される）、受信機側でｆ０を決定するとき、各ヌメロロジーに対するｆ０は、ｆ０ｂａｓｅ＋Δｕ（ヌメロロジーの特定のオフセット）で計算されることができる。ここで、ｆ０ｂａｓｅは、全てのヌメロロジーで共通し、基準ヌメロロジーによって決定されることができる。ｆＴＸ−ｆＲＸ間の位相補償は、ＯＦＤＭシンボル別に行われることができる。
【０１０７】
（３）オプション３：信号生成のためのｄ０は、自体のヌメロロジーのみに基づくことができ、各ヌメロロジーに対するアップコンバージョン周波数もまた固定されることができる。各ヌメロロジーの計算された中心周波数と共通基準周波数との間のギャップ及びデジタル回転子（ｄｉｇｉｔａｌ  ｒｏｔａｔｏｒ）が値を補償するのに使用されることができる。即ち、Δｕ（ヌメロロジーの特定のオフセット）は、リソースのマッピング及びアップコンバージョンと別に適用されることができます。言い換えると、各ヌメロロジーに対する位相補償は、送信機側でｆＴＸ（各ヌメロロジーに対して計算された中心周波数）−ｆｂａｓｅ＋Δｕ（ヌメロロジーの特定のオフセット）で行われることができる。受信機側でも、類似の動作がやはり行われることができる。
【０１０８】
（４）オプション４：信号生成のためのｄ０は、自体のヌメロロジーのみに基づくことができ、各ヌメロロジーに対するアップコンバージョン周波数もまた固定されることができる。各ヌメロロジーに対する中心周波数は、受信機の観点から潜在的に異なることがあり（即ち、オプション２と類似する）、送信機は、各ヌメロロジーの中心周波数とヌメロロジーのために使用された実際の中心周波数との間の差を補償することができる。受信機側で各ヌメロロジーの計算された中心周波数は、アップコンバージョン／位相補償のために使用されることができる。
【０１０９】
類似のオプションが受信機に対して考慮され得るものであり、オプション（３）は、回転の代わりにデジタル反転を使用することができる。
【０１１０】
前記で説明したオプションを実現するために、次の事項が考慮されることができる。
【０１１１】
−  基底帯域信号生成で各ヌメロロジーに対して互いに異なるオフセット値が適用されることができる。前記オフセット値は、前述したように指示されたヌメロロジーの搬送波（自分のものを含む）に対する情報又は明示的シグナリングに基づいて各ヌメロロジー別に決定されることができる。ＲＭＳＩ受信での曖昧性を避けるために、初期のＤＬ  ＢＷＰに使用されたヌメロロジーが基準として使用されることができる。
【０１１２】
−  基底帯域信号生成でオフセット値が適用されないことがある。アップコンバージョン周波数ｆ０ｕ（即ち、ｆｂａｓｅ＋ｆｇａｐｕ）は、ヌメロロジー別に決定されることができる。各ヌメロロジーのｆ０ｕ値は、前述したように指示されたヌメロロジーの搬送波（自分のものを含む）に対する情報又は明示的シグナリングに基づいて各ヌメロロジー別に決定されることができる。ＲＭＳＩ受信での曖昧性を避けるために、初期のＤＬ  ＢＷＰに使用されたヌメロロジーが基準として使用されることができる。
【０１１３】
−  基底帯域信号生成／アップコンバージョンでオフセット値が適用されないことがあり、アップコンバージョンのために共通基準周波数が使用されることができる。しかし、ＵＥは、前述したように指示されたヌメロロジーの搬送波（自分のものを含む）に対する情報又は明示的シグナリングに基づいて決定されるオフセットだけ与えられたヌメロロジーに対して遷移が必要であり得る。ＵＥ／ｇＮＢがこのような遷移を具現化する方法は、ＵＥ／ｇＮＢの具現化にかかっている。ＲＭＳＩ受信での曖昧性を避けるために、初期のＤＬ  ＢＷＰに使用されたヌメロロジーが基準として使用されることができる。
【０１１４】
−  基底帯域信号生成／アップコンバージョンでオフセット値が適用されないことがあり、アップコンバージョンのために共通基準周波数が使用されることができる。送信機は、各ヌメロロジーの計算された中心周波数と使用されたヌメロロジーの中心周波数間のオフセットを補償することができ、受信機は、各ヌメロロジーに対して計算された中心周波数を位相補正のための送信機の周波数の基準として使用することができる。
【０１１５】
ｇＮＢとＵＥは前述したオプションのうち、他のオプションを取ることができる。例えば、ｇＮＢは、ヌメロロジーの特定のオフセットを考慮し、基底帯域信号を生成することができるのに対し、ＵＥは、信号生成にヌメロロジーの特定のオフセットを使用しないことがある。このような差異は、前述したオプション（２）又は（３）のようにアップコンバージョン又はデジタル反転により補償され得る。即ち、アップコンバージョンでヌメロロジーの特定ｆ０（即ち、ｆ０ｕ）が導入されてもよく、ｆ０はＵＥの具現化によって他のヌメロロジー間で同一であってもよく、異なってもよい。ＵＥがヌメロロジーの特定ｆ０を計算する方法は、ＵＥの具現化にかかっている。
【０１１６】
図１３は、本発明の一実施例に係るＵＥが信号を生成する方法を示す。前述した本発明の詳しい説明、特に、接近法１が本実施例に適用されることができる。
【０１１７】
段階Ｓ１３００で、ＵＥは搬送波の中心周波数に基づいてヌメロロジーに対して信号を生成する。前記搬送波の中心周波数は、ネットワークが支援する最も大きい副搬送波間隔に基づくことができる。前記搬送波の中心周波数が、前記ネットワークが支援する前記最も大きい副搬送波間隔のＰＲＢグリッドの中心周波数によって遷移され得る。互いに異なるヌメロロジーに対する中心周波数が、前記ネットワークが支援する前記最も大きい副搬送波間隔の前記ＰＲＢグリッドの中心周波数で互いに整列されることができる。前記搬送波の中心周波数は、ポイントＡからのオフセット及び前記搬送波のＲＢの個数に基づいて決定されることができる。一方、ＵＥは、前記搬送波の中心周波数と前記ネットワークが支援する前記最も大きい副搬送波間隔の前記ＰＲＢグリッドの中心周波数間のオフセットに対する情報を受信することができる。
【０１１８】
段階Ｓ１３１０で、ＵＥは前記生成された信号を送信する。
【０１１９】
図１３で説明された本発明の一実施例に係ると、互いに異なるヌメロロジーに対する信号が整列されて生成されることができる。即ち、ネットワークが支援する最も大きい副搬送波間隔に対するＰＲＢグリッドに対する中心周波数を基準として、これよりも小さい副搬送波間隔に対するＰＲＢグリッドの中心周波数又は基底帯域信号生成のための基準周波数が遷移されることができる。
【０１２０】
図１４は、本発明の実施例が具現化される無線通信システムを示す。
【０１２１】
ＵＥ１４００は、プロセッサ（ｐｒｏｃｅｓｓｏｒ）１４１０、メモリ（ｍｅｍｏｒｙ）１４２０、及び送受信部１４３０を含む。プロセッサ１４１０は、本明細書で説明された機能、過程及び／又は方法を具現化するように構成されることができる。無線インターフェースプロトコルの層は、プロセッサ１４１０で具現化できる。より具体的に、プロセッサ１４１０は、搬送波の中心周波数に基づいてヌメロロジーに対して信号を生成するように構成される。前記搬送波の中心周波数は、ネットワークが支援する最も大きい副搬送波間隔に基づくことができる。前記搬送波の中心周波数が、前記ネットワークが支援する前記最も大きい副搬送波間隔のＰＲＢグリッドの中心周波数によって遷移されることができる。互いに異なるヌメロロジーに対する中心周波数が、前記ネットワークが支援する前記最も大きい副搬送波間隔の前記ＰＲＢグリッドの中心周波数で互いに整列されることができる。前記搬送波の中心周波数は、ポイントＡからのオフセット及び前記搬送波のＲＢの個数に基づいて決定されることができる。一方、プロセッサ１４１０は、前記搬送波の中心周波数と前記ネットワークが支援する前記最も大きい副搬送波間隔の前記ＰＲＢグリッドの中心周波数との間のオフセットに対する情報を受信するように送受信部１４３０を制御することができる。
【０１２２】
プロセッサ１４１０は、前記生成された信号を送信するように送受信部１４３０を制御することができる。
【０１２３】
メモリ１４２０は、プロセッサ１４１０と連結され、プロセッサ１４１０を駆動するための多様な情報を格納する。送受信部１４３０はプロセッサ１４１０と連結され、ネットワークノード１５００へ無線信号を送信するか、ネットワークノード１５００から無線信号を受信する。
【０１２４】
ネットワークノード１５００は、プロセッサ１５１０、メモリ１５２０、及び送受信部１５３０を含む。プロセッサ１５１０は、本明細書で説明された機能、過程及び／又は方法を具現化するように構成されることができる。無線インターフェースプロトコルの層は、プロセッサ１５１０で具現化できる。メモリ１５２０はプロセッサ１５１０と連結され、プロセッサ１５１０を駆動するための多様な情報を格納する。送受信部１５３０はプロセッサ１５１０と連結され、ＵＥ１４００へ無線信号を送信するか、ＵＥ１４００から無線信号を受信する。
【０１２５】
プロセッサ１４１０、１５１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、 他のチップセット、論理回路及び／又はデータ処理装置を含むことができる。メモリ１４２０、１５２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。送受信部１４３０、１５３０は、無線周波数信号を処理するためのベースバンド回路を含むことができる。実施例がソフトウェアとして具現化されるとき、前述した技法は、前述した機能を行うモジュール（過程、機能等）で具現化できる。モジュールは、メモリ１４２０、１５２０に格納され、プロセッサ１４１０、１５１０によって実行されることができる。メモリ１４２０、１５２０は、プロセッサ１４１０、１５１０の内部又は外部にあってもよく、よく知られている多様な手段でプロセッサ１４１０、１５１０と連結されてもよい。
【０１２６】
図１４で説明された本発明の一実施例に係ると、互いに異なるヌメロロジーに対する信号が整列されて生成されることができる。即ち、ネットワークが支援する最も大きい副搬送波間隔に対するＰＲＢグリッドに対する中心周波数を基準として、これよりも小さい副搬送波間隔に対するＰＲＢグリッドの中心周波数又は基底帯域信号生成のための基準周波数が遷移されることができる。
【０１２７】
前述した例示的なシステムで、前述した本発明の特徴によって具現化できる方法は順序図に基づいて説明された。便宜上、方法は一連のステップまたはブロックで説明されたが、請求された本発明の特徴はステップまたはブロックの順序に限定されるものではなく、あるステップは他のステップと前述したことと異なる順序で、または同時に発生することができる。また、当業者であれば、順序図に示したステップが排他的でなく、他のステップが含まれるか、または順序図の一つまたはその以上のステップが本発明の範囲に影響を及ぼさず、削除できることを理解することができる。
【図１】
0006943973.tif 000010
【図２】
0006943973.tif 000011
【図３】
0006943973.tif 000012
【図４】
0006943973.tif 000013
【図５】
0006943973.tif 000014
【図６】
0006943973.tif 000015
【図７】
0006943973.tif 000016
【図８】
0006943973.tif 000017
【図９】
0006943973.tif 000018
【図１０】
0006943973.tif 000019
【図１１】
0006943973.tif 000020
【図１２】
0006943973.tif 000021
【図１３】
0006943973.tif 000022
【図１４】
0006943973.tif 000023